(57)【特許請求の範囲】
【請求項１】
移動体の位置を算出する位置算出手段と；
データ入力が行われる操作入力手段と；
時刻を計時する計時手段と；
情報を格納する格納手段と；
前記計時手段による計時結果を利用して、前記移動体の滞在時間が所定時間以上か否かを判定する時間判定手段と；
前記時間判定手段による判定結果が肯定的である場合に、前記移動体の滞在位置が、前記格納手段内に登録されている属性を有する地点又は前記格納手段内に登録されている地点に該当するか否かを判定する位置判定手段と；
前記位置判定手段による判定結果が肯定的である場合に、前記操作入力手段よりデータ入力されたメモデータを含むメモ情報を前記格納手段に格納する制御手段と；を備えることを特徴とする情報記録装置。
【請求項２】
前記位置判定手段による判定結果が肯定的である場合に、メモデータ入力を促す催促情報を出力する催促手段を更に備え、
前記制御手段は、前記催促手段による催促情報の出力後に入力されたメモデータを含むメモ情報を前記格納手段に格納することを特徴とする請求項１に記載の情報記録装置。
【請求項３】
前記格納手段内に登録されている属性には、前記格納手段内に予め規定値として登録された属性が含まれる、ことを特徴とする請求項１又は２に記載の情報記録装置。
【請求項４】
前記格納手段内に格納されている属性には、前記操作入力手段を利用したデータ入力に従って前記格納手段内に登録された指定属性が含まれる、ことを特徴とする請求項１又は２に記載の情報記録装置。
【請求項５】
前記格納手段に、目的地までの推奨ルート情報が登録されている場合、前記格納手段内に登録されている地点には、前記目的地、又は、前記推奨ルートの探索に先立って指定された前記推奨ルート上の経由地が含まれる、ことを特徴とする請求項１〜４のいずれか一項に記載の情報記録装置。
【請求項６】
前記メモデータには、音声メモデータ及びテキストメモデータの少なくとも一方が含まれる、ことを特徴とする請求項１〜５のいずれか一項に記載の情報記録装置。
【請求項７】
他の情報処理装置と通信を行うための通信手段と；
前記格納手段に格納されたメモ情報を、前記通信手段を利用して前記他の情報処理装置へ送信する送信手段と；を更に備える、ことを特徴とする請求項１〜６に記載の情報記録装置。
【請求項８】
移動体の位置を算出する位置算出工程と；
前記移動体の滞在時間が所定時間以上か否かを判定する時間判定工程と；
前記時間判定工程での判定結果が肯定的であった場合に、前記移動体の滞在位置が、情報を格納する格納手段内に登録されている属性を有する地点又は前記格納手段内に登録されている地点に該当するか否かを判定する位置判定工程と；
前記位置判定工程での判定結果が肯定的であった場合に、メモデータの入力を受け付ける入力工程と；
前記入力工程で受け付けたメモデータを含むメモ情報を前記格納手段に格納する記録工程と；を備えることを特徴とする情報記録方法。
【請求項９】
請求項８に記載の情報記録方法を演算手段に実行させる、ことを特徴とする情報記録プログラム。
【請求項１０】
請求項９に記載の情報記録プログラムが演算手段により読み取り可能に記録されている、ことを特徴とする記録媒体。
【発明の詳細な説明】
【技術分野】
【０００１】
本発明は、情報記録装置、情報記録方法、情報記録プログラム及びその情報記録方法が記録された記録媒体に関する。
【背景技術】
【０００２】
従来から、車両等の移動体に搭載され、目的地までの推奨ルートを探索し、当該推奨ルートに沿った移動の誘導及び案内を行うナビゲーション装置が広く普及している。こうしたナビゲーション装置に関する技術の進歩は著しく、ルート探索機能及び誘導案内機能に加えて、様々な付加機能が実装されたものが実用化されつつある。
【０００３】
かかる付加機能に関する技術の一つとして、ナビゲーション装置の機能を利用して、いつ、どこを走行したかを日記として記録する機能に関する技術が提案されている（特許文献１参照；以下、「従来例」という）。この従来例の技術では、一定距離の走行や一定時刻の経過、交差点の右左折、車両の停止等を契機として、走行した道路名や交差点名、立ち寄った施設名等の地点名と、日付や時刻等の時間要素とを関連付けて自動的に記録するようになっている。
【特許文献１】特開２００３−１７７０２２号公報
【発明の開示】
【発明が解決しようとする課題】
【０００４】
上述した従来例においては、走行した道路名や交差点名、立ち寄った施設名等の地点名と、日付や時刻等の時間要素という走行履歴の情報を日記として記録している。しかしながら、日記として記録したい情報には、走行履歴の情報に限られず、例えば、滞在地点における出来事や印象という情報も含まれている。また、日記として記録する情報としては、一般に、その日の行動を想起することができる情報で十分であるが、従来例の場合のように、一定距離の走行や一定時刻の経過、交差点の右左折、車両の停止等を契機として情報の記録を行うと、日記情報として利用する必要のない情報も自動的に記録されてしまうことになる。
【０００５】
このため、利用者が日記として記録したい情報を適切に記録することができる技術が要望されている。こうした要望に応えることが、本発明が解決すべき課題の一つとして挙げられる。
【０００６】
本発明は、上記の事情を鑑みてなされたものであり、利用者が記録することを望む情報を効率的に記録できる情報記録装置及び情報記録方法を提供することを目的とする。
【課題を解決するための手段】
【０００７】
請求項１に記載の発明は、移動体の位置を算出する位置算出手段と；データ入力が行われる操作入力手段と；時刻を計時する計時手段と；情報を格納する格納手段と；前記計時手段による計時結果を利用して、前記移動体の滞在時間が所定時間以上か否かを判定する時間判定手段と；前記時間判定手段による判定結果が肯定的である場合に、前記移動体の滞在位置が、前記格納手段内に登録されている属性を有する地点又は前記格納手段内に登録されている地点に該当するか否かを判定する位置判定手段と；前記位置判定手段による判定結果が肯定的である場合に、前記操作入力手段よりデータ入力されたメモデータを含むメモ情報を前記格納手段に格納する制御手段と；を備えることを特徴とする情報記録装置である。
【０００８】
請求項８に記載の発明は、移動体の位置を算出する位置算出工程と；前記移動体の滞在時間が所定時間以上か否かを判定する時間判定工程と；前記時間判定工程での判定結果が肯定的であった場合に、前記移動体の滞在位置が、情報を格納する格納手段内に登録されている属性を有する地点又は前記格納手段内に登録されている地点に該当するか否かを判定する位置判定工程と；前記位置判定工程での判定結果が肯定的であった場合に、メモデータの入力を受け付ける入力工程と；前記入力工程で受け付けたメモデータを含むメモ情報を前記格納手段に格納する記録工程と；を備えることを特徴とする情報記録方法である。
【０００９】
請求項９に記載の発明は、請求項８に記載の情報記録方法を演算手段に実行させる、ことを特徴とする情報記録プログラムである。
【００１０】
請求項１０に記載の発明は、請求項９に記載の情報記録プログラムが演算手段により読み取り可能に記録されている、ことを特徴とする記録媒体である。
【発明を実施するための最良の形態】
【００１１】
以下、本発明の一実施形態を、図１〜図１１を参照しつつ説明する。なお、本実施形態においては、車両に搭載され、情報記録装置の機能を有するナビゲーション装置を例示して説明する。
【００１２】
［構成］
図１には、本実施形態に係るナビゲーション装置１００の構成がブロック図にて示されている。図１に示されるように、このナビゲーション装置１００は、制御ユニット１１０と、格納手段としての記憶装置１２０とを備えている。また、ナビゲーション装置１００は、音出力ユニット１３０と、表示ユニット１４０と、操作入力手段としての操作入力ユニット１５０と、走行センサユニット１６０と、ＧＰＳ（Global Positioning System）受信ユニット１７０と、媒体記録ユニット１８０と、通信手段としての無線通信ユニット１９０とを備えている。上記制御ユニット１１０以外の要素１２０〜１９０は、それぞれ制御ユニット１１０に接続されている。
【００１３】
制御ユニット１１０は、ナビゲーション装置１００の全体を制御しつつ、様々な処理を行う。この制御ユニット１１０は、計時手段としての計時部１１１と、ナビゲーションに関する処理を行うナビゲーション処理部２００を備えている。ここで、計時部１１１は、現在時刻を計時する。ここで、「時刻」には、年月日も含まれている。本明細書では、この意味で「時刻」の用語を用いるものとする。なお、ナビゲーション処理部２００については、後述する。
【００１４】
記憶装置１２０は、ハードディスク装置等から構成される。記憶装置１２０には、図２に示されるように、地図情報１２１、推奨ルート情報１２２をはじめとして、ナビゲーション装置１００の動作のために必要な様々なデータが記憶される。ここで、地図情報１２１には、道路データ、道路ネットワークデータ、背景データ、地図上の地点（ＰＯＩ（Points Of Interest））情報等が含まれている。また、推奨ルート情報１２２には、後述のルート探索部２２０によって探索された推奨ルートにおける目的地、及び、推奨ルートの探索に際して目的地とともに利用者により指定された経由地に関する情報が含まれている。
【００１５】
記憶装置１２０には、地点属性条件情報１２３、メモ情報１２４、滞在位置１２５、滞在開始時刻１２６が更に記憶される。ここで、地点属性条件情報１２３は、メモ情報を記録する条件の１つである滞在位置条件として登録された地点の属性条件の情報である。こうした地点属性条件情報には、規定値として登録された属性と、操作入力ユニット１５０を利用して入力された指定属性の２種類の属性が含まれている。
【００１６】
メモ情報１２４には、後述するメモ記録条件を満たした滞在地点の情報に加えて、当該滞在地点において操作入力ユニット１５０から入力された音声メモデータ又はテキストメモデータが含まれる。
【００１７】
滞在位置１２５は、最新の駐車位置であり、車両が駐車されるたびに更新される。また、滞在開始時刻１２６は、最新の駐車が開始された時刻であり、車両が駐車されるたびに更新される。
【００１８】
図１に戻り、音出力ユニット１３０は、（ｉ）制御ユニット１１０から受信したデジタル音声データをアナログ信号に変換するＤＡ変換器（Digital to Analog Converter）と、（ii）当該ＤＡ変換器から出力されたアナログ信号を増幅する増幅器と、（iii）増幅されたアナログ信号を音声に変換するスピーカとを備えて構成されている。この音出力ユニット１３０は、制御ユニット１１０による制御のもとで、車両の進行方向、走行状況、交通状況等の案内用音声、音楽等を出力する。
【００１９】
表示ユニット１４０は、（ｉ）液晶表示パネル、有機ＥＬ（Electro Luminescence）パネル、ＰＤＰ（Plasma Display Panel）等の表示デバイスと、（ii）制御ユニット１１０から送出された表示制御データに基づいて、表示ユニット１４０全体の制御を行うグラフィックレンダラ等の表示コントローラと、（iii）表示画像データを記憶する表示画像メモリ等を備えて構成されている。この表示ユニット１４０は、制御ユニット１１０による制御のもとで、地図情報、ルート情報、操作ガイダンス情報等を表示する。
【００２０】
操作入力ユニット１５０は、ナビゲーション装置１００の本体部に設けられたキー部と、複数のキーが配置されたリモート入力装置と、音声入力装置とを備えている。ここで、本体部に設けられたキー部としては、表示ユニット１４０に設けられたタッチパネルが採用されている。
【００２１】
この操作入力ユニット１５０を利用者が操作することにより、ナビゲーション装置１００の動作内容の設定が行われる。例えば、目的地の設定、車両の走行状況表示設定等のナビゲーション用設定等を、利用者が操作入力ユニット１５０を利用して行う。こうした入力内容は、操作入力ユニット１５０から制御ユニット１１０へ送られる。
【００２２】
走行センサユニット１６０は、（ｉ）車両の移動速度を検出する速度センサと、（ii）車両の角速度を検出する角速度センサと、（iii）車両に作用している加速度を検出する加速度センサとを備えている。ここで、速度センサは、例えば、車輪や車輪の回転により出力されるパルス信号や電圧値を検出する。また、角速度センサは、例えば、いわゆるジャイロセンサとして構成され、角速度を検出する。また、加速度センサは、例えば、重力加速度を検出する。こうした検出結果は、走行センサユニット１６０から制御ユニット１１０へ送られる。
【００２３】
ＧＰＳ受信ユニット１７０は、複数のＧＰＳ衛星からの電波の受信結果に基づいて、車両の現在位置の擬似座標値を算出し、制御ユニット１１０へ報告する。また、ＧＰＳ受信ユニット１７０は、ＧＰＳ衛星からの電波のドップラー効果による波長変化に基づいて、車両の速度及び走行方位を検出し、制御ユニット１１０へ報告する。また、ＧＰＳ受信ユニット１７０は、ＧＰＳ衛星から送出された時刻に基づいて現在時刻を計時し、制御ユニット１１０へ報告する。
【００２４】
媒体記録ユニット１８０は、制御ユニット１１０による制御の下で、メモリカード等の記録媒体ＲＭへのデータ記録や、記録媒体ＲＭからのデータ読み取りを行う。この媒体記録ユニット１８０を利用することにより、記憶装置１２０内のメモ情報１２４を記録媒体ＲＭへ記録することができるようになっている。
【００２５】
無線通信ユニット１９０は、無線信号用のアンテナを備え、制御の下で無線信号の送受信を行うことにより、携帯電話網等の無線通信網を介して、パーソナルコンピュータ等の他の情報処理装置との通信を行う。この無線通信ユニット１９０を利用することにより、メモ情報１２４を他の情報処理装置へ送信することができるようになっている。
【００２６】
ナビゲーション処理部２００は、位置算出手段としての位置算出部２１０と、ルート探索部２２０と、メモ情報記録部２３０とを備えている。このように構成されたナビゲーション処理部２００は、記憶装置１２０にアクセスしつつ、上述した構成要素１２０〜１９０を利用して、利用者にナビゲーション情報を提供する。すなわち、ナビゲーション処理に関連する操作入力ユニット１５０からの指令入力結果、走行センサユニット１６０による検出結果、ＧＰＳ受信ユニット１７０における測位結果等に対応して、ナビゲーション処理部２００は、記憶装置１２０に記憶されたナビゲーション用のデータを適宜読み出す。そして、ナビゲーション処理部２００は、（ａ）利用者が指定する地域の地図を表示ユニット１４０の表示デバイスに表示する地図表示、（ｂ）車両が地図上のどこに位置するのかを算出する位置算出、（ｃ）車両の現在位置から、利用者が指定する目的地の位置までの推奨ルートの探索、（ｄ）設定されたルートに沿って目的地まで運転するときに、目的地への到達予想時刻や、進行すべき方向を的確にアドバイスするために、表示ユニット１４０の表示デバイスに案内表示をしたり、音出力ユニット１３０から音声案内を出力するルート案内、（ｅ）主な走行道路や、駐車位置等の走行履歴情報を収集する走行履歴収集等を行う。
【００２７】
位置算出部２１０は、上記の（ｂ）の機能を有している。この機能の実行に際して、位置算出部２１０は、利用者による車両位置の操作入力ユニットへの入力結果、走行センサユニット１６０による検出結果に基づいて不図示のセンサデータ処理部によって算出された移動距離、走行方位（車両の傾斜角（傾斜方位）を含んでもよい）等の走行状況情報、ＧＰＳ受信ユニット１７０からの報告結果等に基づいて、車両の推測位置の算出を行う。そして、位置算出部２１０は、地図情報１２１を利用して、推測位置を地図上の車両の位置として最も確からしい位置へ補正するマップマッチング処理を行い、車両の位置を求める。なお、位置算出部２１０は、車両が駐車すると、駐車位置を滞在位置１２５として記憶装置１２０に格納するとともに、計時部１１１により得られた駐車開始時刻を滞在開始時刻１２６として記憶装置１２０に格納するようになっている。
【００２８】
ルート探索部２２０は、上記の（ｃ）の機能を有している。この機能の実行は、利用者による目的地を指定したルート探索指令に応答して行われる。ここで、利用者により経由地が設定された場合には、ルート探索部２２０は、指定された経由地を経由するルートを探索する。また、再ルート探索指令を受けた場合にも、ルート探索部２２０は、直前までの目的地をそのまま目的地とするルート探索を行う。ルート探索部２２０は、探索されたルートに関する目的地及び経由地を含む情報を推奨ルート情報１２２として記憶装置１２０に格納する。
【００２９】
メモ情報記録部２３０は、利用者による指令によりメモ情報記録モードに設定されている場合に、ナビゲーション装置１００への通電が行われると、処理を開始する。このメモ情報記録部２３０は、図３に示されるように、時間判定手段としての滞在判定部２３１と、位置判定手段としての位置判定部２３２と、記録部２３３とを備えている。
【００３０】
滞在判定部２３１は、記憶装置１２０内の滞在開始時刻１２６からナビゲーション装置１００への通電が開始された時刻までの経過時間が、予め定められた滞在時間閾値（所定時間）を超えるか否かを判定する。この判定結果が肯定的であった場合には、メモ情報記録条件の一つである滞在時間条件を満たすと判断し、その旨を位置判定部２３２へ報告する。
【００３１】
位置判定部２３２は、滞在判定部２３１から滞在時間条件を満たしたことの報告を受けると、記憶装置１２０内の滞在位置１２５を読み出す。位置判定部２３２は、読み出された滞在位置１２５の地点属性を地図情報１２１を利用して特定する。そして、位置判定部２３２は、滞在位置の地点属性が記憶装置１２０内の地点属性条件情報１２３に登録されている地点属性のいずれかと一致しているか否かを判定する。この判定結果が肯定的であった場合には、位置判定部２３２は、メモ情報記録条件の一つである滞在位置条件を満たすと判断し、その旨を記録部２３３へ報告する。
【００３２】
また、位置判定部２３２は、推奨ルートが設定されている場合には、記憶装置１２０内の推奨ルート情報１２２を読み出す。位置判定部２３２は、読み出された推奨ルート情報１２２における目的地又は経由地の位置と、滞在位置１２５とが一致するか否かを判定する。この判定結果が肯定的であった場合にも、位置判定部２３２は、メモ情報記録条件の一つである滞在位置条件を満たすと判断し、その旨を記録部２３３へ報告する。
【００３３】
記録部２３３は、催促手段としての記録催促部２４１と、制御手段及び送信手段としての記録制御部２４２とを備えている。記録催促部２４１は、位置判定部２３２から滞在位置条件を満たしたことの報告を受けると、利用者に対して、音出力ユニット１３０及び表示ユニット１４０を利用したメモデータ入力の催促を行う。
【００３４】
記録制御部２４２は、記録催促部２４１によるメモデータ入力の催促の後に、操作入力ユニット１５０に入力された音声データやテキストデータを、滞在地点の情報とともに、メモ情報１２４として記憶装置１２０内に格納する。また、記録制御部２４２は、操作入力ユニット１５０に入力されたメモ情報１２４の記録媒体ＲＭへの記録指令に応答して、媒体記録ユニット１８０を制御し、メモ情報１２４を記録媒体ＲＭに記録する。また、記録制御部２４２は、操作入力ユニット１５０に入力されたメモ情報１２４の送信指令に応答して、無線通信ユニット１９０を制御して、メモ情報１２４を他の情報処理装置へ送信する。
【００３５】
［動作］
次に、以上のように構成されたナビゲーション装置１００におけるメモ情報記録の動作について主に着目して説明する。
【００３６】
メモ情報記録を行うには、ナビゲーション装置１００が通電されている状態において、利用者が予め自動メモ記録機能を有効とするメモ情報記録モードを設定しておく必要がある。このメモ情報記録モードへの設定操作は、メモ情報記録モードが設定されていない状態で、例えば、図４に示されるようなメニュー画面から「記録メモＯＮ／ＯＦＦ」ソフトキーを押下することにより行われる。なお、キーボード操作や音声入力等の他の手法を用いてメモ情報記録モードに設定することもできる。
【００３７】
メモ情報記録処理は、ナビゲーション装置１００への通電開始によって開始される。このメモ情報記録処理では、図５に示されるように、まず、ステップＳ１１において、滞在判定部２３１が、自動メモ記録機能が有効になっているか否かを判定する。この判定の結果が否定的であった場合（ステップＳ１１：Ｎ）には、メモ情報記録処理が終了する。
【００３８】
ステップＳ１１における判定の結果が肯定的であった場合（ステップＳ１１：Ｙ）には、処理はステップＳ１２へ進む。このステップＳ１２では、滞在判定部２３１が、計時部１１１によって取得された現在時刻と滞在開始時刻１２６との差分、すなわち、滞在時間が、予め定められた滞在時間閾値（所定時間）以上か否かを判定する。この判定の結果が否定的な場合（ステップＳ１２：Ｎ）には、メモ情報記録処理が終了する。
【００３９】
ステップＳ１２における判定の結果が肯定的であった場合（ステップＳ１２：Ｙ）には、処理はステップＳ１３へ進む。このステップＳ１３では、まず、位置判定部２３２が、記憶装置１２０から滞在位置１２５を読み出す。引き続き、位置判定部２３２は、地図情報１２１を利用して、読み出された滞在位置１２５の地点属性を特定する。そして、位置判定部２３２は、滞在位置の地点属性が記憶装置１２０内の地点属性条件情報１２３に登録されている地点属性のいずれかと一致しているか否かを判定する。この判定の結果が肯定的であった場合（ステップＳ１３：Ｙ）には、処理は後述のステップＳ１６へ進む。
【００４０】
ステップＳ１３における判定の結果が否定的であった場合（ステップＳ１３：Ｎ）には、処理はステップＳ１４へ進む。このステップＳ１４では、位置判定部２３２が、推奨ルートが設定されているか否かを判定する。この判定の結果が否定的であった場合（ステップＳ１４：Ｎ）には、メモ情報記録処理が終了する。
【００４１】
ステップＳ１４における判定の結果が肯定的であった場合（ステップＳ１４：Ｙ）には、処理はステップＳ１５へ進む。このステップＳ１５では、位置判定部２３２が、まず、記憶装置１２０から推奨ルート情報１２２を読み出す。そして、位置判定部２３２は、読み出された推奨ルート情報１２２における目的地又は経由地の位置と、滞在位置１２５とが一致するか否かを判定する。この判定の結果が否定的であった場合（ステップＳ１５：Ｎ）には、メモ情報記録処理が終了する。
【００４２】
ステップＳ１５における判定の結果が肯定的であった場合（ステップＳ１５：Ｙ）には、処理はステップＳ１６へ進む。以上のように、ステップＳ１３における判定の結果が肯定的であった場合、及び、ステップＳ１５における判定の結果が肯定的であった場合に、ステップＳ１６において、記録部２３３が自動メモ情報記録処理を行う。
【００４３】
ステップＳ１６では、図６に示されるように、まず、ステップＳ２１において、記録催促部２４１が、利用者に対してメモデータの入力を促す案内を行う。なお，本実施形態では、図７に示される催促案内画面が表示ユニット１４０に表示されるとともに、音出力ユニット１３０を利用した催促案内音声が出力される。また、本実施形態においては、図７に示されるように、音声メモの入力が標準であり、催促案内の表示後、直ちに音声メモの入力受付状態となるものとする。
【００４４】
図６に戻り、次に、ステップＳ２２において、記録制御部２４２が、「テキスト入力」ソフトキー（図７参照）が押下されたか否かを判定する。この判定の結果が肯定的な場合（ステップＳ２２：Ｙ）、記録制御部２４２は利用者が音声入力ではなくテキスト入力によるメモ情報の記録を選択したと判断し、処理はステップＳ２７へ進む。
【００４５】
ステップＳ２７では、記録制御部２４２が、音声によるメモデータの入力を中止する処理を行った後に、図８に示されるような、利用者に対するテキストメモの入力案内を表示ユニット１４０を利用して行う。この結果、テキストメモの入力受付状態となる。
【００４６】
図６に戻り、引き続き、ソフトキー押下がなされると、ステップＳ２８において、「終了」ソフトキー（図８参照）が押下されたか否かを判定する。この判定が否定的な場合（ステップＳ２８：Ｎ）には、キー入力結果に応答して、テキストメモの編集を行う。一方、ステップＳ２８における判定の結果が肯定的であった場合（ステップＳ２８：Ｙ）には、記録制御部２４２は、入力されたテキストメモを、図７に示される滞在地点の情報及び滞在時刻情報とともに、メモ情報１２４として記憶装置１２０に格納する。そして、ステップＳ１６の処理が終了する。
【００４７】
図６に戻り、ステップＳ２２による判定の結果が否定的な場合（ステップＳ２２：Ｎ）、音声メモ入力受付状態を維持しつつ、処理はステップＳ２３へ進む。このステップＳ２３では、記録制御部２４２が、ステップＳ２１において表示された案内画面において「メモ終了」ソフトキー（図７参照）が押下されたか否かを判定する。この判定の結果が肯定的な場合（ステップＳ２３：Ｙ）には、処理は後述のステップＳ２６へ進む。一方、この判定の結果が否定的な場合、処理はステップＳ２４へ進む。
【００４８】
ステップＳ２４では、記録制御部２４２が、ステップＳ２１において表示された案内画面において「メモ中断」ソフトキー（図７参照）が押下されたか否かを判定する。この判定の結果が肯定的の場合（ステップＳ２４：Ｙ）、記録制御部２４２はメモ情報の記録を一時中断し、記録催促部２４１はメモ情報の記録が一時中断された旨の表示を行う。この後、ステップＳ２３の判定が肯定的になるか、ステップＳ２４の判定が否定的になるまで、上述したステップＳ２３〜ステップＳ２４の処理が繰り返される。一方、ステップＳ２４の判定が否定的の場合（ステップＳ２４：Ｎ）、処理はステップＳ２５へ進む。
【００４９】
ステップＳ２５では、記録制御部２４２が、計時部１１１による計時結果を利用して、メモ情報記録開始からの経過時間が予め定められた最大メモ記録時間を超えたか否かを判定する。この判定の結果が否定的であった場合（ステップＳ２５：Ｎ）には、処理はステップＳ２２へ進み、上述したステップＳ２２〜ステップＳ２５の処理が繰り返される。一方、ステップＳ２５の判定が肯定的であった場合（ステップＳ２５：Ｙ）には、処理はステップＳ２６へ進む。
【００５０】
ステップＳ２６では、記録制御部２４２が、それまでに入力された音声メモを、図７に示される滞在地点の情報及び滞在時刻情報とともに、メモ情報１２４として記憶装置１２０に格納する。そして、ステップＳ１６の処理が終了する。
【００５１】
以上のように記録されたメモ情報１２４に対しては、参照、編集、記録媒体へのコピー及び他の情報処理装置への送信等の事後処理を行うことができる。かかる事後処理を行う場合には、まず、利用者が、上述した図４に示される「記録メモ一覧」ソフトキーを利用者が押下する。この結果、図９に示されるような記録されたメモ情報の一覧が表示される。なお、図９においては、滞在地とメモ記録が行われた日時及び滞在地に至るまでに通過した地点の名称が時刻を基準として降順に表示されており、最新の滞在地若しくは通過地点の名称は下線で強調表示される。また、滞在地の右隣には、記録されたメモ情報のデータ形式によって「音声メモ」若しくは「テキストメモ」のいずれか一方が表示される。
【００５２】
なお、図９においては、高島屋日本橋店では音声メモが記録され、東京駅ではテキストメモが記録された例が示されている。ここで、滞在地を選択し、「メモ確認」ソフトキーを利用者が押下することで、記録されたメモ情報の再生が行われる。音声メモの場合は、図１０に示されるような音声メモ確認画面が表示され、「再生開始」ソフトキーを利用者が押下することで、記録された音声メモの再生が行われる。また、この画面から、「再録音開始」ソフトキーを利用者が押下することで、音声メモの再録音を行うこともできる。テキストメモの場合は、図１１に示されるようなテキストメモ確認画面が表示され、記録されたテキストメモを表示する。また、この画面から、一度記録されたテキストメモの修正を行うこともできる。
【００５３】
また、図９に戻り、「記録媒体に出力」ソフトキーを利用者が押下すると、記録制御部２４２は、媒体記録ユニット１８０を制御して、メモ情報１２４を可搬型の記録媒体ＲＭに記録する。また、「通信」ソフトキーを利用者が押下すると、記録制御部２４２は、無線通信ユニット１９０を制御して、メモ情報１２４を他の情報情報処理装置へ送信する。
【００５４】
以上説明したように、本実施形態では、滞在判定部２３１が車両の駐車地点における滞在時間が所定値以上か否かを判定する。この判定結果が肯定的である場合に、位置判定部２３２が車両の滞在位置が所定地点に該当するか否かを更に判定する。そして、この判定結果が肯定的である場合、記録催促部２４１が利用者に対してメモデータの入力を促す催促案内を行い、前記催促案内がされた後に、記録制御部２４２が、操作ユニット１５０から入力されたメモデータを含むメモ情報の記録を行う。
【００５５】
このため、利用者が日記情報を記録したいと望む地点において、その日記内容を音声及びテキスト情報として記録することができるため、日記情報として利用するために必要な情報を効率的に記録することができる。
【００５６】
［実施形態の変形］
本発明は、上記の実施形態に限定されるものではなく、様々な変形が可能である。
【００５７】
例えば、上記の実施形態では、滞在時間閾値及び最大メモ記録時間は予め定められた値としていたが、任意の値に設定できるようにすることもできる。
【００５８】
また、上記の実施形態においては、音声メモの記録が標準であったが、テキストメモの記録を標準としてもよい。また、音声入力又はテキスト入力の選択を必ず行うようにしてもよい。
【００５９】
また、上記の実施形態においては、メモ情報の記録及び変更における操作を表示デバイス上のソフトキーを押下することによって行うようにしたが、キーボードのキー操作や音声入力により行うようにしてもよい。
【００６０】
また、上記の実施形態では、本発明を車両に搭載されるナビゲーション装置に適用したが、例えば、航空機や船舶に搭載されるナビゲーション装置に本発明を適用することもできる。また、例えば、ナビゲーション機能を有する携帯端末装置等のルート探索を行う装置であれば、本発明を適用することができる。
【００６１】
なお、上記の実施形態における制御ユニット１１０を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、上記の実施形態における処理を、予め用意されたプログラムを当該コンピュータで実行するようにしてもよい。これらのプログラムはハードディスク、ＣＤ−ＲＯＭ、ＤＶＤ等のコンピュータで読み取り可能な記録媒体に記録され、当該コンピュータによって記録媒体から読み出されて実行される。また、これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００６２】
【図１】本発明の実施形態に係るナビゲーション装置の構成を概略的に示すブロック図である。
【図２】図１の記憶装置の構成を概略的に示すブロック図である。
【図３】図１のメモ情報記録部の構成を概略的に示すブロック図である。
【図４】メニュー画面の表示例である。
【図５】図１の装置における情報記録方法の処理を説明するためのフローチャートである。
【図６】図５のメモ情報記録処理を説明するためのフローチャートである。
【図７】音声メモ入力中における画面の表示例である。
【図８】テキストメモ入力時における画面の表示例である。
【図９】記録メモ一覧画面の表示例である。
【図１０】音声メモ確認画面の表示例である。
【図１１】テキストメモ確認画面の表示例である。
【符号の説明】
【００６３】
１００  …  ナビゲーション装置（情報記録装置）
１１１  …  計時部（計時手段）
１２０  …  記憶装置（格納手段）
１５０  …  操作入力ユニット（操作入力手段）
１９０  …  無線通信ユニット（通信手段）
２１０  …  位置算出部（位置算出手段）
２３１  …  滞在判定部（時間判定手段）
２３２  …  位置判定部（位置判定手段）
２４１  …  記録催促部（催促手段）
２４２  …  記録制御部（制御手段，送信手段）
【図１】
0004680811.tif 000002
【図２】
0004680811.tif 000003
【図３】
0004680811.tif 000004
【図４】
0004680811.tif 000005
【図５】
0004680811.tif 000006
【図６】
0004680811.tif 000007
【図７】
0004680811.tif 000008
【図８】
0004680811.tif 000009
【図９】
0004680811.tif 000010
【図１０】
0004680811.tif 000011
【図１１】
0004680811.tif 000012